(57)【要約】【課題】入力されたクロックが適切なものであるか常時監視することができ、クロックの切り替えを常時適切に行うことができるようにする。【解決手段】判定回路１０に固定クロックＣＬＫ１を常時入力する。判定回路１０では、その常時入力される固定クロックＣＬＫ１に基づいて対象クロックＣＬＫ２の状態を監視し、対象クロックＣＬＫ２が入力停止状態にあるか、もしくは対象クロックＣＬＫ２の周波数が所定の周波数の範囲外にあるか否かを判断する。固定クロックＣＬＫ１を常時入力としているため、常にクロックの判定を行うことが可能であり、固定クロックＣＬＫ１から対象クロックＣＬＫ２へ、または対象クロックＣＬＫ２から固定クロックＣＬＫ１への切り替えが常時可能となる。また、対象クロックＣＬＫ２の入力停止状態から所望とするクロックの周波数範囲の判定まで、切れ目のない判定が可能となる。【選択図】図１
2010021680.tif 000002
【特許請求の範囲】
【請求項１】
２系統のクロックが入力され、一方の入力を固定クロックとして常時入力し、他方の入力を監視対象の対象クロックとして入力し、前記対象クロックの状態を監視する判定回路と、
前記固定クロックおよび前記対象クロックが入力され、前記判定回路の判定結果に基づいて、前記固定クロックまたは前記対象クロックのいずれか一方を選択して出力するクロック切替回路と
を備え、
前記判定回路は、
前記常時入力される固定クロックに基づいて前記対象クロックの状態を監視し、前記対象クロックが入力停止状態にあるか、もしくは前記対象クロックの周波数が所定の周波数の範囲外にあるか否かを判断するようになされ、
前記クロック切替回路は、
前記対象クロックが入力停止状態にあるか、もしくは前記対象クロックの周波数が前記所定の周波数の範囲外にあると判断された場合には前記固定クロックを選択して出力し、前記対象クロックの周波数が前記所定の周波数の範囲内にあると判断された場合には前記対象クロックを選択して出力する
ように構成されている自動クロック切替回路。
【請求項２】
前記判定回路は、
前記対象クロックがクロック入力され、前記対象クロックに基づいて計測用のウインドーパルスを生成する第１のカウンタ回路と、
前記固定クロックに乗換え後に、前記ウインドーパルスの立上り検出を行う検出回路と、
前記固定クロックがクロック入力され、前記ウインドーパルスの立上りのタイミングでカウント値をクリアすると共にカウントを開始し、そのカウント値を第１のカウント値として出力する第２のカウンタ回路と、
前記第２のカウンタ回路における前記ウインドーパルスの立上りのタイミングでのカウント値を第２のカウント値として保持して出力する保持回路と、
前記第２のカウンタ回路からの任意のタイミングにおける前記第１のカウント値と前記保持回路から出力された前記第２のカウント値とを監視し、前記対象クロックが入力停止状態にあるか、もしくは前記対象クロックの周波数が前記所定の周波数の範囲外にあるか否かを判断する比較回路と
を有する請求項１に記載の自動クロック切替回路。
【請求項３】
前記比較回路は、
前記第１のカウント値が前記所定の周波数の範囲の上限を超える所定の値に達した場合には前記対象クロックが入力停止状態にあると判断し、
前記第２のカウント値が前記所定の周波数の範囲に対応する設定値から外れる場合には、前記対象クロックの周波数が前記所定の周波数の範囲外にあると判断する
ようになされている請求項２に記載の自動クロック切替回路。
【請求項４】
判定回路に２系統のクロックを入力し、一方の入力を固定クロックとして常時入力し、他方の入力を監視対象の対象クロックとして入力し、前記対象クロックの状態を判定回路によって監視する第１のステップと、
クロック切替回路に前記固定クロックおよび前記対象クロックを入力し、前記判定回路の判定結果に基づいて、前記固定クロックまたは前記対象クロックのいずれか一方をクロック切替回路によって選択して出力する第２のステップと
を含み、
前記第１のステップにおいて、
前記常時入力される固定クロックに基づいて前記対象クロックの状態を監視し、前記対象クロックが入力停止状態にあるか、もしくは前記対象クロックの周波数が所定の周波数の範囲外にあるか否かを判断し、
前記第２のステップにおいて、
前記対象クロックが入力停止状態にあるか、もしくは前記対象クロックの周波数が前記所定の周波数の範囲外にあると判断された場合には前記固定クロックを選択して出力し、前記対象クロックの周波数が前記所定の周波数の範囲内にあると判断された場合には前記対象クロックを選択して出力する自動クロック切替方法。
【請求項５】
自動クロック切替回路が設けられた少なくとも１つの回路部分を備え、
前記自動クロック切替回路は、
２系統のクロックが入力され、一方の入力を固定クロックとして常時入力し、他方の入力を監視対象の対象クロックとして入力し、前記対象クロックの状態を監視する判定回路と、
前記固定クロックおよび前記対象クロックが入力され、前記判定回路の判定結果に基づいて、前記固定クロックまたは前記対象クロックのいずれか一方を選択して出力するクロック切替回路と
を備え、
前記判定回路は、
前記常時入力される固定クロックに基づいて前記対象クロックの状態を監視し、前記対象クロックが入力停止状態にあるか、もしくは前記対象クロックの周波数が所定の周波数の範囲外にあるか否かを判断するようになされ、
前記クロック切替回路は、
前記対象クロックが入力停止状態にあるか、もしくは前記対象クロックの周波数が前記所定の周波数の範囲外にあると判断された場合には前記固定クロックを選択して出力し、前記対象クロックの周波数が前記所定の周波数の範囲内にあると判断された場合には前記対象クロックを選択して出力する
ように構成されている電子機器。
【発明の詳細な説明】
【技術分野】
【０００１】
本発明は、入力された２系統のクロックの切り替えを行うための自動クロック切替回路および方法、ならびにその自動クロック切替回路を備えた電子機器に関する。
【背景技術】
【０００２】
複数の動作クロックで動作可能な電子機器において、クロックの切り替えは電子機器の動作保証範囲で適切に行われる必要がある。例えば、近年、液晶パネルがテレビジョン用途に使われ始めているが、テレビジョン機器では内部のシステム切替などにより液晶パネルに入力される信号が停止したり、もしくは指定した周波数範囲外の入力がなされることがある。このような場合、液晶パネルを駆動するために必要なタイミングパルスが正しく生成できず画異常となるため、所定の周波数範囲内で信号が適切に入力されているか検出することが必要とされる。特に信号のクロック入力が適切になされているか監視することは重要である。
【０００３】
特許文献１には、２系統のクロックを備え、一方のクロックを現用、他方のクロックを予備用として用いるようにした電気機器における自動クロック切替回路に関する発明が開示されている。特許文献２には、周波数の異なる２つのクロックによる動作状態を有する論理回路に用いられるクロック発生装置に関する発明が開示されている。
【特許文献１】特開平５−３２４１１８号公報
【特許文献２】特開平５−２５９８４８号公報
【発明の開示】
【発明が解決しようとする課題】
【０００４】
しかしながら、特許文献１に記載の自動クロック切替回路は、現用のクロックが入力停止状態となったことを検出し、その場合に予備用のクロックへと切り替えるための回路である。このため、現用のクロックが入力停止となったかどうかのみを判定しており、クロックの周波数範囲まで判定するようなことはしていない。一方、特許文献２に記載のクロック発生装置は、周波数の異なる第１のクロックから第２のクロックへと切り替えを行うものであり、第２のクロックの正常発振が確認された後に第２のクロックへの切り替えを行うようになっている。特許文献２に記載の発明では、周波数範囲の判定を行っているが、判定して第２のクロックへの切り替えを行った後は、第１のクロックを停止している。しかしながら、テレビジョン機器のような随時システムの切り替えが発生するような機器では、動作中に常時クロックの監視を行い、その都度クロックを迅速に切り替えることが必要とされる。例えばテレビジョン機器において、クロックの異なる映像信号が切り替えて入力された場合、迅速にクロックの切り替えが行われることが好ましい。特許文献２に記載の発明では、そのような随時システムの切り替えが発生するような機器には適さないという問題がある。
【０００５】
本発明はかかる問題点に鑑みてなされたもので、その目的は、入力されたクロックが適切なものであるか常時監視することができ、クロックの切り替えを常時適切に行うことができるようにした自動クロック切替回路および方法、ならびに電子機器を提供することにある。
【課題を解決するための手段】
【０００６】
本発明の自動クロック切替回路は、２系統のクロックが入力され、一方の入力を固定クロックとして常時入力し、他方の入力を監視対象の対象クロックとして入力し、対象クロックの状態を監視する判定回路と、固定クロックおよび対象クロックが入力され、判定回路の判定結果に基づいて、固定クロックまたは対象クロックのいずれか一方を選択して出力するクロック切替回路とを備えている。そして、判定回路が、常時入力される固定クロックに基づいて対象クロックの状態を監視し、対象クロックが入力停止状態にあるか、もしくは対象クロックの周波数が所定の周波数の範囲外にあるか否かを判断するようになされ、クロック切替回路が、対象クロックが入力停止状態にあるか、もしくは対象クロックの周波数が所定の周波数の範囲外にあると判断された場合には固定クロックを選択して出力し、対象クロックの周波数が所定の周波数の範囲内にあると判断された場合には対象クロックを選択して出力するように構成されているものである。
【０００７】
また、本発明の自動クロック切替方法は、判定回路に２系統のクロックを入力し、一方の入力を固定クロックとして常時入力し、他方の入力を監視対象の対象クロックとして入力し、対象クロックの状態を判定回路によって監視する第１のステップと、クロック切替回路に固定クロックおよび対象クロックを入力し、判定回路の判定結果に基づいて、固定クロックまたは対象クロックのいずれか一方をクロック切替回路によって選択して出力する第２のステップとを含んでいる。そして、第１のステップにおいて、常時入力される固定クロックに基づいて対象クロックの状態を監視し、対象クロックが入力停止状態にあるか、もしくは対象クロックの周波数が所定の周波数の範囲外にあるか否かを判断し、第２のステップにおいて、対象クロックが入力停止状態にあるか、もしくは対象クロックの周波数が所定の周波数の範囲外にあると判断された場合には固定クロックを選択して出力し、対象クロックの周波数が所定の周波数の範囲内にあると判断された場合には対象クロックを選択して出力するようにしたものである。
【０００８】
本発明の電子機器は、自動クロック切替回路が設けられた少なくとも１つの回路部分を備え、その自動クロック切替回路として、上記本発明の自動クロック切替回路を用いるようにしたものである。
【０００９】
本発明の自動クロック切替回路もしくは方法、または電子機器では、判定回路に固定クロックが常時入力される。判定回路では、その常時入力される固定クロックに基づいて対象クロックの状態を監視し、対象クロックが入力停止状態にあるか、もしくは対象クロックの周波数が所定の周波数の範囲外にあるか否かを判断する。固定クロックを常時入力としているため、常にクロックの判定を行うことが可能であり、固定クロックから対象クロックへ、または対象クロックから固定クロックへの切り替えが常時可能となる。また、対象クロックの入力停止状態から所望とするクロックの周波数範囲の判定まで、切れ目のない判定が可能となる。
【発明の効果】
【００１０】
本発明の自動クロック切替回路もしくは方法、または電子機器によれば、常時入力される固定クロックに基づいて対象クロックの状態を監視し、対象クロックが入力停止状態にあるか、もしくは対象クロックの周波数が所定の周波数の範囲外にあるか否かを判断し、その判断結果に基づいて、出力するクロックを適切に選択するようにしたので、入力されたクロックが適切なものであるか常時監視することができ、クロックの切り替えを常時適切に行うことができる。
特に、本発明の自動クロック切替回路を例えばテレビジョン機器内部の回路部分、例えば表示パネルの駆動回路部分に適用することで、駆動に必要なタイミングパルスを常時動作させることができる。また、不適切なクロック入力に起因する画異常を防止することができる。
【発明を実施するための最良の形態】
【００１１】
以下、本発明の実施の形態について図面を参照して詳細に説明する。
【００１２】
図１は、本発明の一実施の形態に係る自動クロック切替回路の構成例を示している。この自動クロック切替回路は、入力されたクロックの状態を監視する判定回路１０と、判定回路１０の判定結果に基づいて適切なクロックを選択して出力するクロック切替回路３３とを備えている。判定回路１０とクロック切替回路３３とにはそれぞれ２系統のクロックが入力されるようになっている。
【００１３】
判定回路１０は、２系統のクロックのうち、一方の入力を固定クロックＣＬＫ１として常時入力すると共に、他方の入力を監視対象の対象クロックＣＬＫ２として入力し、固定クロックＣＬＫ１を用いて対象クロックＣＬＫ２の状態を監視するようになっている。判定回路１０は、常時入力される固定クロックＣＬＫ１に基づいて、対象クロックＣＬＫ２が入力停止状態にあるか、もしくは対象クロックの周波数が所定の周波数の範囲外にあるか否かを判断するようになされている。
【００１４】
クロック切替回路３３は、判定回路１０の判定結果に基づいて、固定クロックＣＬＫ１または対象クロックＣＬＫ２のいずれか一方を選択して出力するようになっている。より具体的には、クロック切替回路３３は、対象クロックＣＬＫ２が入力停止状態にあるか、もしくは対象クロックＣＬＫ２の周波数が所定の周波数の範囲外にあると判断された場合には、出力クロックＣＬＫ３として固定クロックＣＬＫ１を選択して出力するようになっている。また、対象クロックＣＬＫ２の周波数が所定の周波数の範囲内にあると判断された場合には、出力クロックＣＬＫ３として対象クロックＣＬＫ２を選択して出力するようになっている。
【００１５】
判定回路１０は、第１のカウンタ回路１１と、第１のＦＦ（フリップフロップ）回路２１と、立上り検出回路３１と、第２のカウンタ回路１２と、第２のＦＦ回路２２と、比較回路３２とを有している。
【００１６】
第１のカウンタ回路１１には、対象クロックＣＬＫ２がクロック入力されるようになっている。第１のカウンタ回路１１は、対象クロックＣＬＫ２に基づいて計測用のウインドーパルスＷ１を生成するものである。
【００１７】
第１のＦＦ回路２１には、第１のカウンタ回路１１からのウインドーパルスＷ１が入力されると共に、固定クロックＣＬＫ１がクロック入力されるようになっている。第１のＦＦ回路２１は、固定クロックＣＬＫ１に乗換えられたウインドーパルスＷ２を出力するものである。立上り検出回路３１は、第１のＦＦ回路２１によって固定クロックＣＬＫ１に乗換えられたウインドーパルスＷ２の立上り検出を行い、立上り検出パルスＰ１を生成するようになっている。
【００１８】
第２のカウンタ回路１２には、立上り検出回路３１からの立上り検出パルスＰ１が入力されると共に、固定クロックＣＬＫ１がクロック入力されるようになっている。第２のカウンタ回路１２は、立上り検出パルスＰ１に基づいて、ウインドーパルスＷ２の立上りのタイミングでカウント値をクリアすると共に、固定クロックＣＬＫ１によってカウントを開始し、そのカウント値を第１のカウント値ＣＴ１として出力するようになっている。
【００１９】
第２のＦＦ回路２２には、第２のカウンタ回路１２からの出力（第１のカウント値ＣＴ１）と、立上り検出回路３１からの立上り検出パルスＰ１と、固定クロックＣＬＫ１とが入力されるようになっている。第２のＦＦ回路２２は保持回路として機能し、第２のカウンタ回路１２における、ウインドーパルスＷ２の立上りのタイミングでのカウント値を第２のカウント値ＣＴ２として保持して出力するようになっている。
【００２０】
比較回路３２には、第２のカウンタ回路１２からの任意のタイミングにおける第１のカウント値ＣＴ１と保持回路としての第２のＦＦ回路２２から出力された第２のカウント値ＣＴ２とが入力されるようになっている。そして、比較回路３２は、第１のカウント値ＣＴ１と第２のカウント値ＣＴ２とを監視し、対象クロックＣＬＫ２が入力停止状態にあるか、もしくは対象クロックＣＬＫ２の周波数が所定の周波数の範囲外にあるか否かを判断するようになっている。比較回路３２は、後述するように、第１のカウント値ＣＴ１が所定の周波数の範囲の上限を超える所定の値に達した場合には対象クロックＣＬＫ２が入力停止状態にあると判断するようになっている。また、比較回路３２は、第２のカウント値ＣＴ２が所定の周波数の範囲に対応する設定値から外れる場合には、対象クロックＣＬＫ２の周波数が所定の周波数の範囲外にあると判断するようになっている。比較回路３２は、その判断結果に応じたクロック切替フラグＰ２をクロック切替回路３３に出力するようになっている。
【００２１】
図２は、本実施の形態に係る自動クロック切替回路が適用される電子機器の一例としてテレビジョン機器の構成例を示している。この電子機器１は、入力端子として、映像入力端子２Ａ，２Ｂと、ＲＦ入力端子(テレビアンテナ端子)３とを備えている。この電子機器１はまた、チューナ４と、入力選択部５と、信号処理部６と、表示駆動部７と、表示部８とを備えている。チューナ４は、ＲＦ入力端子３を介して入力されたテレビ受信信号の同調を行うものである。入力選択部５は、入力端子を介して入力された映像信号の選択を行うものである。信号処理部６は、入力選択部５によって選択された映像信号に各種の信号処理を行って出力するものである。表示駆動部７は、信号処理部６から出力された映像信号に基づいて、表示部８を駆動するための駆動信号を生成して出力するものである。表示部８は、液晶パネル等の表示パネルであり、表示駆動部７からの駆動信号に基づいて映像を表示するものである。
【００２２】
信号処理部６には、本実施の形態に係る自動クロック切替回路によって構成されたクロック切替部６Ａが設けられている。クロック切替部６Ａには、発振器６Ｂからのクロックが固定クロックＣＬＫ１として入力されると共に、入力選択部５によって選択された映像信号に基づくクロックが対象クロックＣＬＫ２として入力されるようになっている。クロック切替部６Ａは、固定クロックＣＬＫ１に基づいて対象クロックＣＬＫ２の状態を監視し、固定クロックＣＬＫ１または対象クロックＣＬＫ２のうち一方を、信号処理部６で使用する動作クロックとして出力するようになっている。
【００２３】
表示駆動部７には、本実施の形態に係る自動クロック切替回路によって構成されたクロック切替部７Ａが設けられている。クロック切替部７Ａには、発振器７Ｂからのクロックが固定クロックＣＬＫ１として入力されると共に、信号処理部６からの映像信号に基づくクロックが対象クロックＣＬＫ２として入力されるようになっている。クロック切替部７Ａは、固定クロックＣＬＫ１に基づいて対象クロックＣＬＫ２の状態を監視し、固定クロックＣＬＫ１または対象クロックＣＬＫ２のうち一方を、表示駆動部７で使用する動作クロックとして出力するようになっている。
【００２４】
このように、本実施の形態に係る自動クロック切替回路は、例えばテレビジョン機器における信号処理部６および表示駆動部７のクロック切替部６Ａ，７Ａとして好適に用いることができる。
【００２５】
次に、本実施の形態に係る自動クロック切替回路の動作を説明する。
【００２６】
この自動クロック切替回路では、判定回路１０に固定クロックＣＬＫ１が常時入力される。判定回路１０では、その常時入力される固定クロックＣＬＫ１に基づいて対象クロックＣＬＫ２の状態を監視し、対象クロックＣＬＫ２が入力停止状態にあるか、もしくは対象クロックＣＬＫ２の周波数が所定の周波数の範囲外にあるか否かを判断する。クロック切替回路３３では、判定回路１０の判断結果に基づいて、固定クロックＣＬＫ１または対象クロックＣＬＫ２のうち一方を、適切な出力クロックＣＬＫ３として選択して出力する。この自動クロック切替回路では、固定クロックＣＬＫ１を判定回路１０に常時入力としているため、常にクロックの判定を行うことが可能である。そのため、クロック切替回路３３では、固定クロックＣＬＫ１から対象クロックＣＬＫ２へ、または対象クロックＣＬＫ２から固定クロックＣＬＫ１への切り替えが常時可能である。
【００２７】
以下、図３〜図６のタイミングチャートを参照して、自動クロック切替回路の各部の動作をより具体的に説明する。判定回路１０において、カウンタ回路１は対象クロックＣＬＫ２を使用して判定用のウインドーパルスＷ１を生成する（図３（Ｃ），図４（Ｃ），図５（Ｃ），図６（Ｃ））。ウインドーパルスＷ１は所定の区間”Ｈ”を出力するものでも良いし、最上位ビットを使用しても良い。
【００２８】
第１のＦＦ回路２１では、第１のカウンタ回路１１からのウインドーパルスＷ１に基づいて、固定クロックＣＬＫ１に乗換えられたウインドーパルスＷ２を出力する（図３（Ｄ），図４（Ｄ），図５（Ｄ），図６（Ｄ））。立上り検出回路３１では、その固定クロックＣＬＫ１に乗換えられたウインドーパルスＷ２の立上り検出を行い、立上り検出パルスＰ１を生成する（図３（Ｅ），図４（Ｅ），図５（Ｅ），図６（Ｅ））。
【００２９】
第２のカウンタ回路１２では、常時カウントアップを行う。第２のカウンタ回路１２では、立上り検出パルスＰ１に基づいて、ウインドーパルスＷ２の立上り（立上り検出パルスＰ１が”Ｈ”のとき）のタイミングでカウント値をクリアする。また、固定クロックＣＬＫ１によってカウントを開始し、そのカウント値を第１のカウント値ＣＴ１として出力する（図３（Ｆ），図４（Ｆ），図５（Ｆ），図６（Ｆ））。なお、図３（Ｆ）の動作例のように、カウント値がカウンタとしての上限値に達した場合には、第２のカウンタ回路１２はカウントを停止する。
【００３０】
第２のＦＦ回路２２では、第２のカウンタ回路１２における、ウインドーパルスＷ２の立上りのタイミングでのカウント値を第２のカウント値ＣＴ２として保持して出力する（図３（Ｇ），図４（Ｇ），図５（Ｇ），図６（Ｇ））。
【００３１】
比較回路３２では、第１のカウント値ＣＴ１と第２のカウント値ＣＴ２とを監視し、対象クロックＣＬＫ２が入力停止状態にあるか、もしくは対象クロックＣＬＫ２の周波数が所定の周波数の範囲外にあるか否かを判断する。比較回路３２は、その判断結果に応じたクロック切替フラグＰ２をクロック切替回路３３に出力する（図３（Ｈ），図４（Ｈ），図５（Ｈ），図６（Ｈ））。クロック切替回路３３では、クロック切替フラグＰ２に従って、固定クロックＣＬＫ１か対象クロックＣＬＫ２のいずれかを選択して出力クロックＣＬＫ３として出力する（図３（Ｉ），図４（Ｉ），図５（Ｉ），図６（Ｉ））。
【００３２】
ここで、比較回路３２での判断とそれに基づくクロック切替動作は、具体的には、以下の４つのパターンに分けられる。
１．第１のカウント値ＣＴ１があらかじめ設定された所定の値もしくは第２のカウンタ回路１２のカウンタとしての規定上限値である場合には、入力停止状態にあると判断する。この場合、クロック出力は固定クロックＣＬＫ１とする（図３（Ａ）〜（Ｉ）の動作例に対応）。
２．第２のカウント値ＣＴ２が、所定の周波数の下限に対応する設定値以下である場合には、対象クロックＣＬＫ２の周波数が所定の周波数の範囲外と判断する。この場合、クロック出力は固定クロックＣＬＫ１とする（図４（Ａ）〜（Ｉ）の動作例に対応）。
３．第２のカウント値ＣＴ２が、所定の周波数の上限に対応する設定値以上である場合には、対象クロックＣＬＫ２の周波数が所定の周波数の範囲外と判断する。この場合、クロック出力は固定クロックＣＬＫ１とする（図５（Ａ）〜（Ｉ）の動作例に対応）。
４．上記１．〜３．以外の場合は、対象クロックＣＬＫ２が入力停止状態ではなく、かつその周波数が所定の周波数内にあると判断する。この場合、クロック出力は対象クロックＣＬＫ２とする（図６（Ａ）〜（Ｉ）の動作例に対応）。
【００３３】
このように、本実施の形態では、第２のカウンタ回路１２における立上りのタイミングでのカウント値（第２のカウント値ＣＴ２）だけでなく、第２のカウンタ回路１２のカウント値そのもの（第１のカウント値ＣＴ１）も併用してクロックの判断を行う。これにより、入力停止状態も含めて対象クロックＣＬＫ２の状態を適切に判定することができ、入力停止状態から設定周波数の下限まで切れ目のない判定が可能となる。
【００３４】
以上説明したように、本実施の形態に係る自動クロック切替回路によれば、常時入力される固定クロックＣＬＫ１に基づいて対象クロックＣＬＫ２の状態を監視し、その状態を判断するようにしたので、入力されたクロックが適切なものであるか常時監視することができる。また、その判断結果に基づいて、出力するクロックを適切に選択するようにしたので、クロックの切り替えを常時適切に行うことができる。従って、対象クロックＣＬＫ２として、任意のタイミングで入力停止状態になったり、もしくは周波数範囲が不安定なクロック入力がなされたとしても、常に何らかの動作クロックを出力することが可能となる。これにより、本発明の自動クロック切替回路を例えばテレビジョン機器における表示パネルの駆動回路部分に適用した場合には、駆動に必要なタイミングパルスを常時動作させることができ、不適切なクロック入力に起因する画異常を防止することができる。
［その他の実施の形態］
【００３５】
本発明は、上記実施の形態に限定されず、その他の変形実施が可能である。
例えば、本発明の自動クロック切替回路が適用される電子機器は、図２に示したテレビジョン機器に限らない。本発明の自動クロック切替回路は、２系統のクロックが入力され、必要に応じて動作クロックを切り替える必要のある回路部分を有するような電子機器全般に適用可能である。
【図面の簡単な説明】
【００３６】
【図１】本発明の一実施の形態に係る自動クロック切替回路の一構成例を示すブロック図である。
【図２】本発明の一実施の形態に係る電子機器の一構成例を示すブロック図である。
【図３】本発明の一実施の形態に係る自動クロック切替回路における第１の動作例を示すタイミングチャートである。
【図４】本発明の一実施の形態に係る自動クロック切替回路における第２の動作例を示すタイミングチャートである。
【図５】本発明の一実施の形態に係る自動クロック切替回路における第３の動作例を示すタイミングチャートである。
【図６】本発明の一実施の形態に係る自動クロック切替回路における第４の動作例を示すタイミングチャートである。
【符号の説明】
【００３７】
１…電子機器、２Ａ，２Ｂ…映像入力端子、３…ＲＦ入力端子、４…チューナ、５…入力選択部、６…信号処理部、７…表示駆動部、６Ａ，７Ａ…クロック切替部、６Ｂ，７Ｂ…発振器、８…表示部、１０…判定回路、１１…第１のカウンタ回路、１２…第２のカウンタ回路、２１…第１のＦＦ回路、２２…第２のＦＦ回路（保持回路）、３１…立上り検出回路、３２…比較回路、３３…クロック切替回路、ＣＬＫ１…固定クロック、ＣＬＫ２…対象クロック、ＣＬＫ３…出力クロック、ＣＴ１…第１のカウント値、ＣＴ２…第２のカウント値、Ｐ１…立ち上がり検出パルス、Ｐ２…クロック切替フラグ、Ｗ１，Ｗ２…ウインドーパルス。
【図１】
2010021680.tif 000003
【図２】
2010021680.tif 000004
【図３】
2010021680.tif 000005
【図４】
2010021680.tif 000006
【図５】
2010021680.tif 000007
【図６】
2010021680.tif 000008